(57)【要約】【課題】ＰＬＬ回路のロック状態／アンロック状態を正しく判定し、正確に動作するＡＦＴシステムを実現することができる受信回路を提供する。【解決手段】チューナ回路１１から送られてくる受信信号から第１信号と第２信号とを検波する映像音声信号処理回路１１０であって、受信信号の位相と同期した同期信号を生成するＰＬＬ回路２７ａと、生成された同期信号を用いて、受信信号から第１信号を含む信号を検波する映像検波器２１と、受信信号から第２信号を検波する音声ミキサ回路５１等と、検波された第２信号の周波数が予め定められた値であるか否かを判定することによって、ＰＬＬ回路２７ａがロック状態であるかアンロック状態であるかを判定し、その判定結果を示すロック検出信号４２を出力するロック検出回路３３とを備え、ＰＬＬ回路２７ａは、ロック検出信号４２に基づいて、位相同期の応答速度を変化させる。【選択図】図１
2007180865.tif 000002
【特許請求の範囲】
【請求項１】
チューナ回路から送られてくる受信信号から、その受信信号に含まれる第１信号と第２信号とを検波する受信回路であって、
前記受信信号の位相と同期した同期信号を生成する位相同期回路と、
前記位相同期回路から生成された同期信号を用いて、前記受信信号から前記第１信号を含む信号を検波する第１検波器と、
前記受信信号から前記第２信号を検波する第２検波器と、
前記第２検波器で検波された第２信号の周波数が予め定められた値であるか否かを判定することによって、前記位相同期回路がロック状態であるかアンロック状態であるかを判定し、その判定結果を示すロック検出信号を前記位相同期回路に出力するロック検出器とを備え、
前記位相同期回路は、前記ロック検出信号に基づいて、位相同期の応答速度を変化させる
ことを特徴とする受信回路。
【請求項２】
前記受信回路はさらに、前記受信信号の電界強度を検出し、その検出結果を示す電界強度検出信号を前記位相同期回路に出力する電界強度検出回路を備え、
前記位相同期回路はさらに、前記電界強度検出信号に基づいて、位相同期の応答速度を変化させる
ことを特徴とする請求項１記載の受信回路。
【請求項３】
前記受信回路はさらに、
前記第１検波器で検波された第１信号に対して、増幅及びミュートのいずれかを選択的に行う第１信号増幅器と、
前記ロック検出器から出力されたロック検出信号に基づいて、前記第１信号増幅器に、増幅及びミュートのいずれかを選択的に行わせるミュート回路とを備える
ことを特徴とする請求項１記載の受信回路。
【請求項４】
前記受信回路はさらに、前記位相同期回路によって生成された同期信号に基づいて、前記チューナ回路による選局動作を制御する自動周波数調整回路を備え、
前記自動周波数調整回路は、前記ロック検出信号がロック状態を示す場合に、前記同期信号に応じた電圧を出力し、前記ロック検出信号がアンロック状態を示す場合に、規定の一定電圧を出力する
ことを特徴とする請求項１記載の受信回路。
【請求項５】
前記受信回路はさらに、
前記位相同期回路によって生成された同期信号に基づいて、前記チューナ回路による選局動作を制御する自動周波数調整回路と、
前記受信信号の電界強度を検出し、その検出結果を示す電界強度検出信号を前記自動周波数調整回路に出力する電界強度検出回路とを備え、
前記自動周波数調整回路は、前記電界強度検出信号が中電界又は強電界であることを示す場合に、前記同期信号に応じた電圧を出力し、前記電界強度検出信号が弱電界であることを示す場合に、規定の一定電圧を出力する
ことを特徴とする請求項１記載の受信回路。
【請求項６】
前記第２検波器は、前記位相同期回路によって生成された同期信号と前記受信信号とを混合することによって、前記受信信号から前記第２信号を検波するミキサ回路を含み、
前記ロック検出器は、前記ミキサ回路から出力された第２信号の周波数を判定することによって、前記位相同期回路がロック状態であるかアンロック状態であるかを判定する
ことを特徴とする請求項１記載の受信回路。
【請求項７】
前記第２検波器は、前記第１検波器で検波された前記第１信号を含む信号から、前記第２信号を抽出する帯域通過フィルタを含み、
前記ロック検出器は、前記帯域通過フィルタから出力された第２信号の周波数を判定することによって、前記位相同期回路がロック状態であるかアンロック状態であるかを判定する
ことを特徴とする請求項１記載の受信回路。
【請求項８】
前記ロック検出器は、
基準周波数切替え信号に応じて、基準信号源からの基準周波数を可変分周する分周器と、
前記分周器からの出力信号が示す周期で決まる期間において、前記第２信号の周波数をカウントするカウンタと、
前記カウンタによってカウントされた周波数が予め定められた値であるか否かを判定する比較器とを有する
ことを特徴とする請求項１記載の受信回路。
【請求項９】
前記ロック検出器はさらに、前記比較器による判定結果を一定回数分だけ連続的に保持し、保持した一定回数分の判定結果がいずれも一致するか否かに応じて前記ロック検出信号を出力するホールド回路を有する
ことを特徴とする請求項８記載の受信回路。
【請求項１０】
前記第１信号は、映像信号であり、
前記第２信号は、前記映像信号に対応する音声信号である
ことを特徴とする請求項１記載の受信回路。
【請求項１１】
前記第１信号は、輝度信号であり、
前記第２信号は、前記輝度信号に対応するクロマ信号である
ことを特徴とする請求項１記載の受信回路。
【請求項１２】
アンテナで受信された受信信号から、その受信信号に含まれる第１信号と第２信号とを検波する受信装置であって、
前記受信信号から、選局されたチャンネルの信号を取り出すチューナ回路と、
前記チューナ回路で取り出された信号から、その信号に含まれる第１信号と第２信号とを検波する請求項１記載の受信回路と
を備えることを特徴とする受信装置。
【請求項１３】
チューナ回路から送られてくる受信信号から、その受信信号に含まれる第１信号と第２信号とを検波する受信方法であって、
位相同期回路からの同期信号を用いて、前記受信信号から前記第１信号を含む信号を検波し、
前記受信信号から前記第２信号を検波し、
検波された第２信号の周波数が予め定められた値であるか否かを判定することによって、前記位相同期回路がロック状態であるかアンロック状態であるかを判定し、
前記判定結果に基づいて、前記位相同期回路における位相同期の応答速度を変化させる
ことを特徴とする受信方法。
【発明の詳細な説明】
【技術分野】
【０００１】
本発明は、テレビジョン信号等のための受信回路に関し、特に、局部発振器の発振周波数を制御するための信号を供給するＡＦＴ（Ａｕｔｏｍａｉｃ  Ｆｉｎｅ  Ｔｕｎｉｎｇ；自動周波数調整）制御回路を備える受信装置に好適な受信回路に関する。
【背景技術】
【０００２】
テレビジョン受信機において、正確に選局し、画質のよい映像信号と音質のよい音声信号を復調するために、ＡＦＴシステムが使用されている。
【０００３】
ＡＦＴシステムの一つ目の機能は、ＡＦＴ制御回路が、チューナ回路から出力された映像中間周波信号と規定の映像中間周波信号との周波数差に対応する信号を前段の局部発振器に供給し、映像中間周波信号を規定の周波数に自動的に補正することである。例えば、最近は、放送チャネルを変換してケーブルで再送信するＣＡＴＶ等においては、映像中間周波信号が規定の周波数よりもずれてしまうことがあり、このＡＦＴシステムが有効である。映像中間周波数は、日本国内であれば規定の５８．７５ＭＨｚなるようにし、アメリカ合衆国内であれば規定の４５．７５ＭＨｚなるように自動補正され、最良の受信映像と音声を得ることができる。
【０００４】
二つ目の機能は、受信可能なチャネルを自動選局する機能である。マイコン（マイクロ・コンピュータ）は、局部発振器を制御するためにＡＦＴ制御回路から供給されるＳ字特性と、同期分離回路より出力される映像検波信号の同期信号を利用して、受信可能なチャネルを自動選局する。つまり、選局周波数をｆ０とすると、ｆ０±ΔｆでのＡＦＴ出力信号のレベルと同期信号の有無によって受信可能か否かを判定している。そして、マイコンが受信可能であると判定すれば、この受信可能周波数・受信可能チャネル番号をメモリに格納する。
【０００５】
このようなＡＦＴシステムを実現しているチューナ回路１１と映像音声信号処理回路１００とを内蔵した従来のチューナパック等の受信装置について（例えば、特許文献１及び２等）、図１３にしたがって説明する。図１３は、テレビの電波を中間周波数増幅前に映像信号と音声信号に分離して処理するスプリットキャリア方式の受信装置の構成を示す回路図である。
【０００６】
この受信装置は、主に、アンテナ１０で受信したテレビ高周波信号から希望のチャンネル周波数を選択し、映像中間周波数に変換するチューナ回路１１と、この映像中間周波信号より映像信号を復調する映像音声信号処理回路１００とで構成されている。映像音声信号処理回路１００は、ＶＩＦ（映像中間周波）アンプ２０、映像検波器２１、映像アンプ２２、ＰＬＬ（Ｐｈａｓｅ  Ｌｏｃｋｅｄ  Ｌｏｏｐ；位相同期）回路２７、ＡＧＣ（自動利得制御）回路２８、ＡＦＴ制御回路３０、アンロック検出回路３４及び音声信号処理回路（ＱＩＦ（音声中間周波）アンプ５０、音声ミキサ回路５１、ＢＰＦ（帯域通過）フィルタ５２、リミッタ回路５３、ＦＭ検波器５４）から構成される。
【０００７】
アンテナ１０で受信されたＵＨＦ帯またはＶＨＦ帯のテレビ高周波信号は、チューナ回路１１によって希望のチャンネル周波数に選局され、増幅される。例えば、映像信号は、日本国内であれば５８．７５ＭＨｚ、米国内であれば４５．７５ＭＨｚの映像中間周波信号に変換される。
【０００８】
次に、映像中間周波信号の帯域通過フィルタの特性をもつ映像ＳＡＷフィルタ（表面弾性波フィルタ）１２によって、映像中間周波信号のみが選択されて通過し、映像音声信号処理回路１００に入力される。この映像中間周波信号は、ＶＩＦアンプ２０によって増幅され、映像検波器２１に入力される。また、ＶＩＦアンプ２０の出力信号（信号ｂ）は、位相検波器２３、ＬＰＦ（低域通過フィルタ）２５、ＶＣＯ（電圧制御発振器）２６、移相器２４から構成されるＰＬＬ回路２７にも入力される。
【０００９】
ＰＬＬ回路２７は、受信信号（映像中間周波信号）の位相と同期した同期信号を生成する回路である。このＰＬＬ回路２７では、まず、ＶＣＯ２６の出力（信号ｓ）は、移相器２４によって位相がシフトされ、信号ａとなって位相検波器２３に入力される。ＶＩＦアンプ２０の出力信号（信号ｂ）もまた位相検波器２３に入力される。位相検波器２３は、これら２つの信号ａ及び信号ｂの周波数差（位相差）を検出する。この位相検波器２３からの出力は、ＬＰＦ２５によって平滑化されて発振周波数制御電圧（信号ｄ）となり、ＶＣＯ２６へフィードバックされる。その結果、ＶＣＯ２６の発振周波数が、受信された映像中間周波数（例えば、日本では５８．７５ＭＨｚ）になり、かつ、信号ａと信号ｂとの位相差が９０度となり、ＰＬＬ回路２７は、ＰＬＬとして動作する。
【００１０】
一方、移相器２４によって、信号ａに対して位相が９０度シフトされた信号ｃは、映像検波器２１に入力される。この結果、ＶＩＦアンプ２０からの出力信号と移相器２４の出力信号ｃの位相が等しくなり、映像検波器２１は、映像信号を同期検波する。検波された信号は、映像アンプ２２で増幅され、映像信号出力端子２９から、映像信号として出力される。
【００１１】
ＡＧＣ回路２８は、映像検波器２１から出力された映像信号の振幅より、チューナ回路１１から出力された映像中間周波信号の強弱を判断し、映像中間周波信号が弱ければＶＩＦアンプ２０のゲインを高くし、逆に映像中間周波信号が強ければＶＩＦアンプ２０のゲインを低くするように制御し、映像検波器２１から出力された映像信号の強度が常に一定となるように制御する。
【００１２】
次に、音声信号処理を説明する。図１４に示されるチューナ回路１１内のミキサ回路６１から５８．７５ＭＨｚの映像中間周波信号とともに出力された５４．２５ＭＨｚの音声中間周波信号は、５４．２５ＭＨｚの帯域通過特性を有する音声ＳＡＷフィルタ１３を通して、ＱＩＦアンプ５０で増幅される。そして、この信号は音声ミキサ回路５１によって、移相器２４を介して入力されたＶＣＯ２６の信号５８．７５ＭＨｚと掛け合わされて４．５ＭＨｚの音声第２中間周波信号に周波数変換される。この音声第２中間周波信号は、ＢＰＦに入力され、４．５ＭＨｚの音声第２中間周波信号のみが通過し、リミッタ回路５３によって増幅され、４．５ＭＨｚの発振周波数を有したＦＭ検波器５４によってＦＭ検波され、音声信号出力端子５５により音声信号が出力される。
【００１３】
次に、ＡＦＴ制御回路について説明する。
アナログ方式のＡＦＴ制御回路では、受信した映像中間周波数にロックしたＶＣＯ２６の発振周波数に対応した発振周波数制御電圧（信号ｄ）を利用して、受信した映像中間周波信号と規定の映像中間周波信号の周波数差に対応するＡＦＴ制御信号を生成する。この信号処理は、アナログ処理によって行っているため、電源電圧の影響、周囲温度の影響、さらにはトランジスタや容量や抵抗等の回路素子のばらつきの影響を受けやすい。一般に、必要とされる周波数の分解能を１０ｋＨｚ程度に抑えるために、回路構成は複雑になり、また、ＩＣの最終検査工程にて微調整するため、コストアップにもなっている。
【００１４】
一方、ディジタル方式のＡＦＴ制御回路では、受信した映像中間周波信号にロックしたＶＣＯ２６の発振周波数がディジタル的に周波数カウントされるため、電源電圧の影響、ＩＣの周囲温度の影響、さらには回路素子の影響を受けることはなく、回路規模にも依るが、比較的容易に周波数の分解能を１０ｋＨｚ程度にすることができる。受信した映像中間周波信号と規定の映像中間周波信号の周波数差に対応するＡＦＴ制御信号は、ディジタル信号で出力されるか、あるいは、ＤＡ変換回路を介してアナログ信号に変換され出力される。
【００１５】
ディジタル方式のＡＦＴ制御回路においては、まず、受信した映像中間周波信号に同期したＶＣＯ２６の出力信号は、ＡＦＴ制御回路３０の入力に接続され、この回路に設けられた周波数カウンタにより映像中間周波信号がカウントされる。なお、この周波数カウントは、正確な基準周波数を利用しており、通常、水晶振動子ＸｔａｌＯＳＣ１４の発振周波数を利用している。発振周波数は、例えば、３．５８ＭＨｚ、４．００ＭＨｚであり、数ｋＨｚと、比較的高い周波数精度を有している。
【００１６】
ＡＦＴ制御回路３０の出力特性は、図１５に示されるＳ字特性を有する。図１５は、ＡＦＴ制御回路３０に入力される信号の映像中間周波数（ＭＨｚ）とＡＦＴ制御回路３０の出力信号（ＡＴＦ出力電圧）との関係（Ｓ字特性）を示している。アンロック検出回路３４から出力信号４２によってＰＬＬ回路２７がロック状態にあることが示されているときには、ＡＦＴ制御回路３０は、出力信号（ＡＦＴ出力電圧）４０として、規定の映像中間周波数と受信した映像中間周波数の周波数差に対応した電圧（Ｖｃｃレベルからグランドレベルにおいて変化する電圧）を出力する。一方、規定の映像中間周波数から大きく離れた高周波領域と低周波領域においては、つまり、アンロック検出回路３４からの出力信号４２によってＰＬＬ回路２７がアンロック状態にあることが示されているときには、ＡＦＴ制御回路３０は、出力信号（ＡＦＴ出力電圧）４０として、センター電圧を出力する。
【００１７】
このＳ字特性を有したＡＦＴ制御回路３０から出力信号４０は、チューナ回路１１内の局部発振器６２（図１４参照）にフィードバックされる。この結果、受信周波数が変化した場合や、局部発振器６２の周波数が周囲温度や経時によって変化した場合においても、映像中間周波数が自動調整され、例えば、日本国内では、この周波数が常に、規定の５８．７５ＭＨｚになるように動作する。また、自動選局の際には、このＳ字特性の信号と、同期分離回路１８より出力される映像検波信号の同期信号を利用して、マイコン１５が受信可能なチャネルを選択する。
【００１８】
ところで、従来のＰＬＬ回路２７のロック状態／アンロック状態を判定するアンロック検出回路３４は（例えば、特許文献１〜３等参照）、図１６や図１７に示される回路構成となっている。図１６や図１７に示されるように、ＰＬＬ回路２７は、図１８（ａ）〜（ｃ）に示されるような映像検波器２１からの出力信号（映像信号）４４とあらかじめ設定された基準電圧Ｖｒｅｆ２（又は、Ｖｒｅｆ３）とを比較する比較器ｂ９０（又は、比較器ｃ９３）等を備え、これによって、ロック状態かアンロック状態を判定し、その判定結果を示す出力信号４２を出力する。
【特許文献１】特開平１０−３２７６７号公報
【特許文献２】特開平１０−３２７６８号公報
【特許文献３】特許第２７１０９９０号公報
【発明の開示】
【発明が解決しようとする課題】
【００１９】
しかしながら、従来のアンロック検出回路３４は、以下に述べる（１）〜（３）の問題点を有している。
【００２０】
（１）まず、従来のアンロック検出回路３４では、映像変調率が１００％を越える過変調時では、ＰＬＬ回路２７がロック状態であるにも関わらず、アンロック状態と誤って判定されてしまうという問題がある。
【００２１】
特許文献１及び２に開示されたアンロック検出回路３４は、図１６に示されるように、映像検波器２１からの出力信号４４とあらかじめ設定された基準電圧Ｖｒｅｆ２とを比較する比較器ｂ９０によって、アンロック状態を検出している。ロック状態では、映像信号４４は、例えば、図１８（ｂ）に示される映像信号波形のように、基準電圧Ｖｒｅｆ２を越えることがないため、アンロック検出回路３４によってロック状態と正しく判定される。一方、アンロック状態では、映像検波器２１からは、例えば、図１８（ａ）に示される映像信号波形のように、ＶＣＯ２６の発振周波数と受信した映像中間周波数の周波数差を有するビート信号が出力される。このとき、映像信号４４は基準電圧Ｖｒｅｆ２を越えるため、アンロック検出回路３４によってアンロック状態と正しく判定される。
【００２２】
しかしながら、映像変調率が１００％を越える過変調時では、図１８（ｃ）に示される映像信号波形のように、映像信号４４は、基準電圧Ｖｒｅｆ２を越えてしまい、ロック状態であるにも関わらず、アンロック検出回路３４によってアンロック状態と誤って判定されてしまう。
【００２３】
また、特許文献３に示されるアンロック検出回路３４は、図１７に示されるように、平滑回路９２によって平滑された映像検波器２１の出力信号とあらかじめ設定された基準電圧Ｖｒｅｆ３とを比較する比較器ｃ９３によって、アンロック状態を検出している。ロック状態では、図１８（ｂ）に示される映像信号波形のように、映像信号４４が平滑化された信号Ｖｐは、基準電圧Ｖｒｅｆ３を越えることがないため、アンロック検出回路３４によってロック状態と正しく判定される。一方、アンロック状態では、図１８（ａ）に示される映像信号波形のように、映像検波器２１からは、ＶＣＯ２６の発振周波数と受信した映像中間周波数の周波数差を有するビート信号が出力される。このとき、映像信号４４を平滑化した信号Ｖｐは基準電圧Ｖｒｅｆ３を越えるため、アンロック検出回路３４によってアンロック状態と正しく判定される。
【００２４】
しかしながら、映像変調率が１００％を越える過変調時では、図１８（ｃ）に示される映像信号波形のように、映像信号４４が平滑化された信号Ｖｐは基準電圧Ｖｒｅｆ３を越えてしまい、ロック状態にも関わらず、アンロック検出回路３４によってアンロック状態と誤って判定されてしまう。
【００２５】
特に、近年は、放送局から送信される映像信号を過度に増幅した変調度１００％以上の過変調状態を引き起こした状態で放送が行われる場合がある。映像変調率が高い過変調状態では、従来のアンロック検出回路３４は、ロック状態であるにも関わらず、アンロック状態と誤って判定し、その結果、ＡＦＴ制御回路３０が誤動作し、正確な選局が困難となってしまう。
【００２６】
（２）また、従来のアンロック検出回路３４では、送信されてくる映像レベルと音声レベルの比（ＰＳ比）が高い地域では、ＰＬＬ回路２７がロック状態にあるも関わらず、アンロック検出回路３４によってアンロック状態と誤って判定されてしまうという問題がある。
【００２７】
ロック状態やアンロック状態における白黒信号（輝度信号）の映像波形は、図１８（ａ）〜（ｃ）に示される如くであるが、通常は、この白黒信号に、色信号（クロマ信号）や音声信号が重畳されている。特に、テレビの電波を中間周波数増幅後に映像信号と音声信号に分離するインターキャリア方式においては、スプリットキャリア方式に比べて、映像波形に重畳した音声信号のレベルは大きくなっている。さらに、地域によって、送信側の映像レベルと音声レベルの比（ＰＳ比）は、０ｄＢ〜―２０ｄＢ程度と大きく異なっている。そのために、特に、ＰＳ比が高い地域では、映像信号４４に重畳される音声信号の割合は増し、基準電圧Ｖｒｅｆ２やＶｒｅｆ３を越えてしまう可能性があり、ＰＬＬ回路２７ががロック状態にも関わらず、アンロック検出回路３４によってアンロック状態と誤って判定されてしまう。
【００２８】
（３）さらに、特許文献１及び２に開示された従来のアンロック検出回路３４では、複雑なアナログ信号処理の回路構成となっているために、例えば、映像信号４４や基準電圧Ｖｒｅｆ２、Ｖｒｅｆ３は、電源電圧の影響、周囲温度の影響、さらにはトランジスタや容量や抵抗等の回路素子のばらつきの影響を非常に受けやすく、誤判定する可能性が大きいという問題もある。
【００２９】
そこで、本発明は、上記従来の問題を解決するものであり、ＰＬＬ回路がロック状態であるかアンロック状態であるかを正しく判定し、これによって正確に動作するＡＦＴシステムを実現することができる受信回路等を提供することを目的とする。
【課題を解決するための手段】
【００３０】
上記目的を達成するために、本発明に係る受信回路は、チューナ回路から送られてくる受信信号から、その受信信号に含まれる第１信号と第２信号とを検波する受信回路であって、前記受信信号の位相と同期した同期信号を生成する位相同期回路と、前記位相同期回路から生成された同期信号を用いて、前記受信信号から前記第１信号を含む信号を検波する第１検波器と、前記受信信号から前記第２信号を検波する第２検波器と、前記第２検波器で検波された第２信号の周波数が予め定められた値であるか否かを判定することによって、前記位相同期回路がロック状態であるかアンロック状態であるかを判定し、その判定結果を示すロック検出信号を前記位相同期回路に出力するロック検出器とを備え、前記位相同期回路は、前記ロック検出信号に基づいて、位相同期の応答速度を変化させることを特徴とする。これによって、受信信号から分離された第２信号に基づいてＰＬＬ回路のロック状態が判定されるので、同期検波の対象となる第１信号に基づいてロック状態を判定する従来と異なり、過変調時や受信レベルの高い地域において、ロック状態が誤ってアンロック状態と判定されてしまうことが回避され、正しくＰＬＬ回路のロック状態が判定され、正確に動作するＡＦＴシステムが実現される。
【００３１】
ここで、前記受信回路はさらに、前記受信信号の電界強度を検出し、その検出結果を示す電界強度検出信号を前記位相同期回路に出力する電界強度検出回路を備え、前記位相同期回路はさらに、前記電界強度検出信号に基づいて、位相同期の応答速度を変化させてもよい。これによって、例えば、電界強度が強い場合に位相同期の応答を遅くすることで、ノイズや位相歪などに応答しにくくなり、ＰＬＬ動作が安定化される。
【００３２】
また、前記受信回路はさらに、前記第１検波器で検波された第１信号に対して、増幅及びミュートのいずれかを選択的に行う第１信号増幅器と、前記位相同期回路から出力されたロック検出信号に基づいて、前記第１信号増幅器に、増幅及びミュートのいずれかを選択的に行わせるミュート回路とを備えてもよい。これによって、ロック状態に応じて第１信号が増幅又はミュートされるので、この信号が同期分離回路を介してマイコンに入力される場合に、マイコンは、同期信号の有無を正しく判定することができ、正しく受信可能なチャネルを選択することができる。
【００３３】
また、前記受信回路はさらに、前記位相同期回路によって生成された同期信号に基づいて、前記チューナ回路による選局動作を制御する自動周波数調整回路を備え、前記自動周波数調整回路は、前記ロック検出信号がロック状態を示す場合に、前記同期信号に応じた電圧を出力し、前記ロック検出信号がアンロック状態を示す場合に、規定の一定電圧を出力する構成としたり、前記受信回路はさらに、前記位相同期回路によって生成された同期信号に基づいて、前記チューナ回路による選局動作を制御する自動周波数調整回路と、前記受信信号の電界強度を検出し、その検出結果を示す電界強度検出信号を前記自動周波数調整回路に出力する電界強度検出回路とを備え、前記自動周波数調整回路は、前記電界強度検出信号が中電界又は強電界であることを示す場合に、前記同期信号に応じた電圧を出力し、前記電界強度検出信号が弱電界であることを示す場合に、規定の一定電圧を出力するのが好ましい。これによって、ＰＬＬ回路のロック状態及び電界強度に応じて、ＡＦＴ制御回路が動作し、正確に動作するＡＦＴシステムが実現される。
【００３４】
なお、前記第２検波器が、前記位相同期回路によって生成された同期信号と前記受信信号とを混合することによって、前記受信信号から前記第２信号を検波するミキサ回路を含み、前記ロック検出器が、前記ミキサ回路から出力された第２信号の周波数を判定することによって、前記位相同期回路がロック状態であるかアンロック状態であるかを判定するようなスプリットキャリア方式の受信装置として本発明を実現したり、前記第２検波器が、前記第１検波器で検波された前記第１信号を含む信号から、前記第２信号を抽出する帯域通過フィルタを含み、前記ロック検出器が、前記帯域通過フィルタから出力された第２信号の周波数を判定することによって、前記位相同期回路がロック状態であるかアンロック状態であるかを判定するようなインターキャリア方式の受信装置として本発明を実現したりすることもできる。
【００３５】
また、前記ロック検出器は、基準周波数切替え信号に応じて、基準信号源からの基準周波数を可変分周する分周器と、前記分周器からの出力信号が示す周期で決まる期間において、前記第２信号の周波数をカウントするカウンタと、前記カウンタによってカウントされた周波数が予め定められた値であるか否かを判定する比較器とを有する構成とするのが好ましい。これによって、第２信号の周波数がディジタル処理によって計測されるので、電源電圧の影響、周囲温度の影響、さらにはトランジスタなどの回路素子のばらつき等に依らず、安定してＰＬＬ回路のロック状態が判定される。
【００３６】
また、前記ロック検出器はさらに、前記比較器による判定結果を一定回数分だけ連続的に保持し、保持した一定回数分の判定結果がいずれも一致するか否かに応じて前記ロック検出信号を出力するホールド回路を有する構成とするのが好ましい。これによって、判定におけるバラツキが平滑化されるので、ＰＬＬ回路のロック状態とアンロック状態の切替り状態でのロック検出器の不安定性が大幅に低減される。
【００３７】
なお、前記第１信号は、映像信号であり、前記第２信号は、前記映像信号に対応する音声信号であってもよいし、前記第１信号は、輝度信号であり、前記第２信号は、前記輝度信号に対応するクロマ信号であってもよい。
【００３８】
また、本発明は、上記のような受信回路として実現できるだけでなく、アンテナで受信された受信信号から、その受信信号に含まれる第１信号と第２信号とを検波する受信装置であって、前記受信信号から、選局されたチャンネルの信号を取り出すチューナ回路と、前記チューナ回路で取り出された信号から、その信号に含まれる第１信号と第２信号とを検波する請求項１記載の受信回路とを備えることを特徴とする受信装置として実現したり、チューナ回路から送られてくる受信信号から、その受信信号に含まれる第１信号と第２信号とを検波する受信方法、あるいは、ＰＬＬ回路のロック状態を判定する方法として実現することもできる。
【発明の効果】
【００３９】
本発明により、映像信号が過変調状態にある場合や、ＰＳ比の高い地域においても、ＰＬＬ回路のロック状態が誤認識されてしまうという不具合が防止される。また、電源電圧の影響、周囲温度の影響、さらにはトランジスタなどの回路素子のばらつき等に依らず、安定してＰＬＬ回路のロック状態が判定される。
【００４０】
このように、本発明によって、ＰＬＬ回路のロック状態／アンロック状態が正しく判定され、安定したＰＬＬ動作が確保されるとともに、正確に動作するＡＦＴシステムが実現され、本発明の実用的価値は極めて高い。
【発明を実施するための最良の形態】
【００４１】
以下、本発明の実施の形態について、図面を用いて説明する。
【００４２】
（実施の形態１）
図１は、本発明の実施の形態１における受信装置の構成を示すブロック図である。この受信装置は、音声第２中間周波信号に基づいてロック状態を検出する点に特徴を有するスプリットキャリア方式のテレビジョン信号用受信装置であり、アンテナ１０、チューナ回路１１、映像ＳＡＷフィルタ１２、音声ＳＡＷフィルタ１３、ＯＳＣ１４、マイコン１５、メモリ１６、同期分離回路１８及び映像音声信号処理回路１１０を備える。
【００４３】
映像音声信号処理回路１１０は、チューナ回路から送られてくる受信信号から、その受信信号に含まれる第１信号と第２信号とを検波する受信回路の一例であり、従来と同一機能の構成要素（ＶＩＦアンプ２０、映像検波器２１、映像アンプ２２、ＡＧＣ回路２８、ＱＩＦアンプ５０、音声ミキサ回路５１、ＢＰＦ５２、リミッタ回路５３、ＦＭ検波器５４）と、本発明に特有の構成要素、つまり、チューナ回路１１から出力された映像中間周波信号が弱電界または中・強電界かを判定するための電界強度検出回路３１と、ＰＬＬ回路２７ａのロック状態／アンロック状態を判定するロック検出回路３３と、アンロック状態で映像信号４４をミュートするためのミュート回路３２と、ＯＳＣ１４、ＶＣＯ２６及びロック検出回路３３からの信号に加えて電界強度検出回路３１からの信号を入力としてＡＦＴ出力電圧４０を出力するＡＦＴ制御回路３０ａと、ロック検出回路３３からの出力信号４２だけでなく、電界強度検出回路３１からの出力信号４３にも応答して動作するＬＰＦ２５ａを有するＰＬＬ回路２７ａとを備える。
【００４４】
なお、映像検波器２１は、特許請求の範囲における第１検波器の一例であり、音声ミキサ回路５１は、特許請求の範囲における第２検波器の一例である。以下、従来と同一の構成要素には同一の符号を付し、その説明を省略する。
【００４５】
電界強度検出回路３１は、図２の詳細な回路図に示されるように、チューナ回路１１から出力された映像中間周波信号の強度に依存したＡＧＣ回路２８の出力信号４５と、あらかじめ設定された閾値電圧Ｖｒｅｆ１とを比較する比較器ａ６３を有し、この比較器ａ６３によって、映像中間周波信号が弱電界状態か中・強電界状態であるかを判定し、その判定信号（電界強度検出信号）をＬＰＦ２５ａとＡＦＴ制御回路３０ａに出力する。
【００４６】
ロック検出回路３３は、音声第２中間周波信号の周波数が予め定められた値であるか否かを判定することによって、ＰＬＬ回路２７ａのロック状態／アンロック状態を判定する回路であり、その判定信号（ロック検出信号）を、ＬＰＦ２５ａ、ＡＦＴ制御回路３０ａ、および、ミュート回路３２に出力する。
【００４７】
次に、このように構成された本実施の形態における受信装置の動作、および、ＰＬＬ回路２７ａのロック状態／アンロック状態を判定する方法について説明する。
【００４８】
まず、ＡＦＴ制御回路３０ａの説明をする。ＡＦＴ制御回路３０ａは、ＶＣＯ２６の発振周波数をカウントする機能を有している。図３は、ＡＦＴ制御回路３０ａの詳細な回路図である。ＡＦＴ制御回路３０ａは、ＡＦＴ分周器８０、ＡＦＴカウンタ８１、ＡＦＴ比較器８２及びＤＡ変換回路８３で構成されている。図４は、図３に示される主要箇所における信号（ＲＥＳＥＴ１、ＣＬＫ１、信号８４）のタイミングを示す図である。このＡＦＴ制御回路３０ａからの出力信号４０は、マイコン１５を介して、チューナ回路１１内の局部発振器６２に入力される。
【００４９】
まず、ＸｔａｌＯＳＣ１４の発振周波数に対応した基準周波数切替え信号が、基準周波数切替え端子３５からＡＦＴ分周器８０に入力される。この基準周波数切替え信号に基づいて、ＡＦＴ分周器８０は、ＯＳＣ１４からの基準信号を可変分周する、具体的には、その出力信号ＲＥＳＥＴ１の周期が同一になるように、分周比を切替え、出力信号ＲＥＳＥＴ１を出力する。ＡＦＴカウンタ８１は、ＡＦＴ分周器８０の出力信号ＲＥＳＥＴ１の周期で決まる期間において、ＶＣＯ２６からの信号ｓをカウントすることで、その信号ｓの周波数をカウントする。
【００５０】
このＡＦＴカウンタ８１の出力端子に接続されたＡＦＴ比較器８２には、ロック検出回路３３の出力信号４２と電界強度検出回路３１からの出力信号４３が入力される。ＡＦＴ比較器８２は、電界強度検出回路３１の出力信号４３が中・強電界状態であることを示し、かつ、ロック検出回路３３の出力信号４２がロック状態であることを示しているときには、規定の映像中間周波数とＶＣＯ２６の発振周波数との差に応じた信号８４を出力する。一方、電界強度検出回路３１の出力信号４３が弱電界に対応することを示す、又は、ロック検出回路３３からの出力信号がアンロック状態であることを示すときには、ＡＦＴ比較器８２は、一定値に規定された信号８４を出力する。このＡＦＴ比較器８２は、ＡＦＴ分周器８０からの信号ＣＬＫ１が入力されるごとに、上記差又は上記一定値を示す信号８４をＤＡ変換回路８３に出力する。ＤＡ変換回路８３は、その値に対応するアナログ電圧を出力信号（ＡＦＴ出力電圧）４０として出力する。
【００５１】
なお、ＸｔａｌＯＳＣ１４の発振周波数は、セットメーカやチューナーパックメーカにより、例えば、３．５８ＭＨｚ、４．００ＭＨｚと設定され、使い分けられている。例えば、これらの基準周波数に対応した基準周波数切替え端子３５からの信号に応じて、ＡＦＴ分周器８０の分周比をそれぞれ１７９と２００に設定すれば、信号ＲＥＳＥＴ１は同一周期の２０ｋＨｚとなり、異なる基準周波数に対しても同一のＡＦＴカウンタ８１で対応することができ、回路が簡素化できる。
【００５２】
次に、本実施の形態における受信装置によるロック検出方法の概略を説明する。ＰＬＬ回路２７ａが映像中間周波数ｆＶＩＦにロックしているロック状態においては、ＶＣＯ２６の発振周波数ｆＶＣＯと音声中間周波数ｆＱＩＦの周波数差は、常に、規定の音声第２中間周波信号の周波数ｆＳＩＦに維持されている。逆に、ＰＬＬ回路２７ａが映像中間周波数ｆＶＩＦにロックしていないアンロック状態においては、ＶＣＯ２６の発振周波数ｆＶＣＯと音声中間周波数ｆＱＩＦの周波数差は、規定の音声第２中間周波信号の周波数ｆＳＩＦと異なる周波数になっている。本実施の形態におけるロック検出回路３３は、この特徴を利用したものであり、ロック状態かアンロック状態かは、ＶＣＯ２６の発振周波数ｆＶＣＯと音声中間周波数ｆＱＩＦの周波数差を周波数カウントし、その周波数差が規定の音声第２中間周波信号ｆＳＩＦに該当するか否かを判定することによって、ロック状態／アンロック状態を検出する。
【００５３】
まず、ＰＬＬ回路２７ａがロック状態であるときの受信装置の動作を説明する。図５は、ロック状態における受信装置の各信号の周波数関係を示す図である。ＶＣＯ２６の発振周波数ｆＶＣＯは、受信した映像中間周波数ｆＶＩＦにロックしているため、映像中間周波数ｆＶＩＦと等しい周波数となっている。このため、ＶＣＯ２６の発振周波数ｆＶＣＯと音声中間周波数ｆＱＩＦの周波数差を出力する音声ミキサ回路５１は、規定の音声第２中間周波信号の周波数ｆＳＩＦ（＝ｆＶＩＦ−ｆＱＩＦ）を持つ信号を出力する。この音声ミキサ回路５１からの出力信号は、音声第２中間周波信号の帯域通過特性を有するＢＰＦ５２によって不要な映像信号やクロマ信号の周波数成分が減衰され、リミッタ回路５３によって増幅され、ロック検出回路３３に入力される。ロック検出回路３３は、入力信号４６の周波数（ｆＤＥＴ）を周波数カウントすることで、この信号が規定の音声第２中間周波信号ｆＳＩＦに該当すると判断し、つまり、ロック状態と判定し、その旨を示す出力信号４２をミュート回路３２、ＬＰＦ２５ａ及びＡＦＴ制御回路３０ａに出力する。
【００５４】
一方、ＰＬＬ回路２７ａがアンロック状態であるときの受信装置の動作を説明する。図６は、アンロック状態における受信装置の各信号の周波数関係を示す図である。ＶＣＯ２６の発振周波数ｆＶＣＯは、受信した映像中間周波数ｆＶＩＦにロックしていないため、映像中間周波数ｆＶＩＦとは異なる不定の周波数となっている。このため、ＶＣＯ２６の発振周波数ｆＶＣＯと音声中間周波数ｆＱＩＦの周波数差を出力する音声ミキサ回路５１は、規定の音声第２中間周波信号の周波数ｆＳＩＦ（＝ｆＶＩＦ−ｆＱＩＦ）と異なる周波数を持つ信号を出力する。この音声ミキサ回路５１からの出力信号は、音声第２中間周波信号の帯域通過特性を有するＢＰＦ５２によって不要な周波数成分が除去され、リミッタ回路５３を介して、ロック検出回路３３に入力される。ロック検出回路３３は、入力信号４６の周波数（ｆＤＥＴ）を周波数カウントすることで、この信号が規定の音声第２中間周波信号ｆＳＩＦに該当していないと判断し、つまり、アンロック状態と判定し、その旨を示す出力信号４２をミュート回路３２、ＬＰＦ２５ａ及びＡＦＴ制御回路３０ａに出力する。
【００５５】
ＰＬＬ回路２７ａ内のＬＰＦ２５ａは、ロック検出回路３３からの出力信号４２に基づいて、位相同期の応答速度を変化させる。具体的には、ロック検出回路３３からの出力信号４２に基づいて、ロック検出回路３３がロック状態であると判定した際には、その時定数を大きくしてＰＬＬ回路２７ａの応答を遅くすることで、ノイズや映像中間周波信号が有している位相歪などに応答しにくいようにＰＬＬ動作を制御している。一方、アンロック状態と判定した際は、その時定数を小さくして応答を速めることで、ＰＬＬの引き込み範囲（キャプチャレンジ）を広くする。
【００５６】
ＡＦＴ制御回路３０ａは、ＰＬＬ回路２７ａのＶＣＯ２６からの信号ｓに基づいて、チューナ回路１１による選局動作を制御する。具体的には、ＡＦＴ制御回路３０ａは、図１５に示される如く、ロック検出回路３３から出力信号４２に基づいて、ロック検出回路３３がロック状態であると判定した際には、ＰＬＬ回路２７ａからの同期信号に応じた電圧、つまり、規定の映像中間周波数と受信した映像中間周波数の周波数差に対応した電圧（Ｖｃｃレベルからグランドレベルにおいて変化する電圧）を出力する。一方、アンロック状態と判定した際には、ＡＦＴ制御回路３０ａは、出力信号（ＡＦＴ出力電圧）４０として、センター電圧などの一定の規定値の電圧を出力する。
【００５７】
映像アンプ２２は、映像検波器２１の出力信号（映像信号）４４に対して、増幅及びミュートのいずれかを選択的に行う。ミュート回路３２は、ロック検出回路３３からの出力信号４２に基づいて、映像アンプ２２に増幅及びミュートのいずれかを選択的に行わせる制御回路である。具体的には、ミュート回路３２は、ロック検出回路３３からの出力信号４２に基づいて、ロック検出回路３３がロック状態であると判定した際には、映像検波器２１の出力信号（映像信号）４４が映像アンプ２２によって増幅され、映像信号出力端子２９より出力されるように、映像アンプ２２を制御する。一方、アンロック状態と判定した際には、ミュート回路３２は、映像検波器２１からの出力信号（映像信号）４４が映像アンプ２２によってミュートされて映像信号出力端子２９より出力されるように、映像アンプ２２を制御する。
【００５８】
マイコン１５には、ＡＦＴ制御回路３０ａからのＳ字特性を持った出力信号４０とともに、同期分離回路１８より出力される映像検波信号の同期信号が入力される。この受信装置では、ロック検出回路３３により、ＰＬＬ回路２７ａのロック状態またはアンロック状態が正しく判定される。そして、その判定結果に応じて、ミュート回路３２により、映像検波器２１からの出力信号（映像信号）４４を増幅、または、ミュートして同期信号をなくすことができ、マイコン１５は、同期信号の有無を正しく判定することができる。これら２つの手段により、マイコン１５は、正しく受信可能なチャネルを選択することができる。
【００５９】
次に、ロック検出回路３３の詳細について説明する。ロック検出回路３３は、ＢＰＦ５２とリミッタ回路５３を通過した音声ミキサ回路５１の出力信号（ｆＤＥＴ）５４をカウントする機能を有している。図７には、ロック検出回路３３の詳細を示す図である。このロック検出回路３３は、ＳＩＦ分周器７０、ＳＩＦカウンタ７１、ＳＩＦ比較器７２、ホールド回路７３で構成されている。図８は、図７に示されるホールド回路７３の詳細な構成を示す回路図である。図８において、ホールド回路７３に出力信号（ＳＤＥＴ）４２が、ＰＬＬ回路２７ａ内のＬＰＦ２５ａ、ＡＦＴ制御回路３０ａ及びミュート回路３２に出力される。図９は、図７と図８に示された回路における主要箇所の信号（ＲＥＳＥＴ２、ＣＬＫ２、ＣＬＫ３、Ｄ１、Ｄ２、Ｄ３、ＳＤＥＴ４２）のタイミングを示す図である。
【００６０】
まず、ＸｔａｌＯＳＣ１４の発振周波数に対応した基準周波数切替え信号が、基準周波数切替え端子３５からＳＩＦ分周器７０に入力される。この基準周波数切替え信号に基づいて、ＳＩＦ分周器７０は、ＯＳＣ１４からの基準信号を可変分周する、具体的には、その出力信号ＲＥＳＥＴ２の周期が同一になるように、分周比を切替え、出力信号ＲＥＳＥＴ２を出力する。ＳＩＦカウンタ７１は、ＳＩＦ分周器７０の出力信号ＲＥＳＥＴ２の周期で決まる期間において、ＢＰＦ５２とリミッタ回路５３を通過した音声ミキサ回路５１の出力信号（周波数ｆＤＥＴ）ｓの周波数をカウントする。
【００６１】
ＳＩＦ比較器７２は、ＳＩＦカウンタ７１からの出力信号に応じて、ＢＰＦ５２とリミッタ回路５３を通過した音声ミキサ回路５１の周波数が規定の音声第２中間周波信号の周波数４．５ＭＨｚに該当するか否かを判定する。音声第２中間周波信号はＦＭ変調されており、ある帯域幅を有しているため、判定する帯域幅は±１００ｋＨｚ程度が適している。ＳＩＦ比較器７２は、ＳＩＦ分周器７０からの信号ＣＬＫ２が入力されるごとに、この判定結果を、出力信号７４としてホールド回路７３に出力する。
【００６２】
従来のアンロック検出回路３４は、アナログ処理により映像信号４４の振幅レベルを利用して判定を行っていたが、本実施の形態におけるロック検出回路３３は、図７に示されるように、ディジタル処理によってＶＣＯ２６の発振周波数をカウントしてロック状態／アンロック状態を判定している。このため、電源電圧の影響、周囲温度の影響、さらにはトランジスタなどの回路素子のばらつきを含めても、比較的容易にロック状態／アンロック状態を判定することができる帯域幅の分解能を１０ｋＨｚ程度に抑えることができる。よって、ばらつきに依らず、安定した判定を簡単な回路構成で実現できる。
【００６３】
ＸｔａｌＯＳＣ１４の発振周波数は、セットメーカやチューナーパックメーカにより、例えば、３．５８ＭＨｚ、４．００ＭＨｚと設定され、使い分けられている。例えば、これらの基準周波数に対応した基準周波数切替え端子３５からの信号に応じて、ＳＩＦ分周器７０の分周比をそれぞれ１７９と２００に設定すれば、信号ＲＥＳＥＴ２は同一周期の２０ｋＨｚとなり、異なる基準周波数に対応しても同一のＳＩＦカウンタ７１で対応することができ、回路が簡素化できる。
【００６４】
図８に示されるように、ホールド回路７３は、シフトレジスタ７５と、判定器７６とで構成されている。シフトレジスタ７５は、フリップフロップＦ１〜Ｆ３で構成され、判定器７６は、ゲートＧ１で構成されている。シフトレジスタ７５は、リミッタ回路５３からの出力信号４６が規定の音声第２中間周波信号の周波数か否かを示すＳＩＦ比較器７２からの出力信号７４を、ＳＩＦ分周器７０からの信号ＣＬＫ３が入力されるごとに、シフトさせながら順次格納し、あらかじめ設定された所定回数分（本例では３回）保持する。判定器７６は、シフトレジスタ７５を構成するフリップフロップＦ１〜Ｆ３からの所定回数分（ここでは、３回分）のそれぞれの出力信号Ｄ１、Ｄ２、Ｄ３を入力とし、シフトレジスタ７５に所定数（ここでは、３個）の結果が格納されるごとに、全信号が一致しているか否かを検出する。全信号が一致している場合にだけ、ホールド回路７３は、安定した出力があったものとして、ロック状態と判定し、信号ＣＬＫ３が入力されるごとに、ロック状態である旨を示す信号（ＳＤＥＴ）４２を出力する。このような構成により、ロック状態とアンロック状態の切替り状態での不安定性が低減される。
【００６５】
例えば、ロック状態とアンロック状態の切替りの不安定な状態において、ＳＩＦ比較器７２は、確率ｍでロック状態と判定しているとする。すると、所定回数をｎとした場合には、判定器７６がロック状態であると判定する確率は、ｍnであり、アンロック状態と判定する確率は、１−ｍnとなる。仮に、ｍ＝０．２、ｎ＝３とすれば、判定器７６がロック状態であると判定する確率はｍn＝０．００８であり、アンロック状態と判定する確率は１−ｍn＝０．９９２である。つまり、ホールド回路７３がない場合にロック状態と判定される確率が０．２、アンロック状態と判定される確率が０．８であるのに対し、ホールド回路７３を設けることにより、ロック状態と判定される確率が０．００８、アンロック状態と判定する確率が０．９９２となり、ロック状態とアンロック状態の切替り状態での不安定性が大幅に低減される。
【００６６】
次に、電界強度検出回路３１の動作について説明する。上記説明のように、ＡＦＴ制御回路３０ａの出力信号（ＡＦＴ出力電圧）４０の特性は、入力電波が比較的強いときには、図１５に示されるように、安定したＳ字特性であり、チューナ回路１１内のミキサ回路６１から出力される映像中間信号周波数が一定となるような自動制御が行われる。しかしながら、電波強度（電界強度）が弱いときには、信号強度に対するノイズ強度の比が大きくなり、ＰＬＬ回路２７ａは、正しく位相ロックせず、ＶＣＯ２６の出力信号は不安定な状態となる。このため、ＡＦＴ制御回路３０ａは、局部発振器６２に対して安定な電圧を供給できず、局部発振器６２の周波数は、不安定な状態となる。この結果、ミキサ回路６１の出力信号は、規定の映像中間周波数から大きく離れた信号を出力することになる。よって、ＶＩＦアンプ２０には、規定の映像中間周波数とは異なる信号が入力されることになり、ＰＬＬ回路２７ａが位相ロックしていない状態をさらに悪化させてしまう。このような状況を回避するために、電界強度検出回路３１は、受信した映像中間周波信号が弱電界状態か中・強電界状態であるかを判定し、弱電界状態であるときはＡＦＴ制御回路３０ａの出力信号を一定値に規定するように制御している。
【００６７】
電界強度検出回路３１は、ＡＧＣ回路２８の特性を利用している。図１０は、ＡＧＣ回路２８の特性を示す図である。図１０では、ＡＧＣ回路２８に入力される映像中間周波信号の強度（ｄＢμＶ）とＡＧＣ回路２８からの出力電圧４５との関係が示されている。電界強度検出回路３１は、図２の詳細な回路図に示されるように、ＡＧＣ回路２８からの出力信号４５を基準電圧Ｖｒｅｆ１と比較する比較器ａ６３を有する。この比較器ａ６３は、ＡＧＣ回路２８からの出力信号４５が弱電界Ｖｉｎ１であるときに（つまり、基準電圧Ｖｒｅｆ１よりも低いときに）、その旨を示す反転した出力信号４３を、ＰＬＬ回路２７ａ内のＬＰＦ２５ａとＡＦＴ制御回路３０ａとに出力する。これによって、電界強度検出回路３１は、チューナ回路１１内のミキサ回路６１から出力された映像中間周波信号が弱電界状態か中・強電界状態であるかを判定している。
【００６８】
ＰＬＬ回路２７ａ内のＬＰＦ２５ａは、電界強度検出回路３１からの出力信号４３が中・強電界状態を示したときに、その時定数を大きくしてＰＬＬ回路２７ａの応答を遅くし、ノイズや映像中間周波信号が有している位相歪などに応答しにくいようにＰＬＬ動作を制御している。一方、弱電界状態と判定した際は、その時定数を小さくして応答を速め、ＰＬＬの引き込み範囲（キャプチャレンジ）を広くする。
【００６９】
電界強度検出回路３１からの出力信号４３は、ＡＦＴ制御回路３０ａにも入力され、ＡＦＴ制御回路３０ａで利用される。図１１は、映像中間周波数の信号強度（ｄＢμＶ）とＡＦＴ制御回路３０ａの出力信号（ＡＦＴ出力電圧）４０との関係を示す図である。ＡＦＴ制御回路３０ａは、電界強度検出回路３１からの出力信号４３によって電界強度がＶｉｎ１以上の中・強電界であることが示されている場合には、図１１に示される「中・強電界時」におけるＡＦＴ出力電圧（矢印４７）のように、規定の映像中間周波数と受信した映像中間周波数の周波数差に対応した電圧（Ｖｃｃレベルからグランドレベルにおいて変化する電圧）を出力信号４０として出力する。一方、電界強度検出回路３１からの出力信号４３によって電界強度がＶｉｎ１以下の弱電界であることが示されている場合には、ＡＦＴ制御回路３０ａは、図１１に示される「弱電界時」におけるＡＦＴ出力電圧のように、入力周波数に依らず、規定された一定のセンター電圧を出力信号４０として出力する。このような構成により、中間周波数信号が弱入力の際に生じるＡＦＴ制御回路３０ａの出力電圧の不安定性が解消され、選局の際に生じる誤動作がなくなる。
【００７０】
以上のように、本実施の形態におけるスプリットキャリア方式の受信装置には、特徴的な電界強度検出回路３１と、ロック検出回路３３と、ロック検出回路３３による検出結果に基づいて動作するミュート回路３２と、電界強度検出回路３１及びロック検出回路３３での検出結果に基づいて動作するＰＬＬ回路２７ａ及びＡＦＴ制御回路３０ａとが設けられ、ＰＬＬ回路２７ａのロック状態／アンロック状態が正しく判定され、正確な自動周波数調整（ＡＦＴ）システムが実現される。
【００７１】
（実施の形態２）
次に、本発明の実施の形態２における受信装置について説明する。
【００７２】
図１２は、本発明の実施の形態２における受信装置の構成を示すブロック図である。この受信装置は、音声第２中間周波信号に基づいてＰＬＬ回路のロック状態を検出する点に特徴を有するインターキャリア方式のテレビジョン信号用受信装置であり、アンテナ１０、チューナ回路１１、ＯＳＣ１４、マイコン１５、メモリ１６、同期分離回路１８、ＳＡＷフィルタ１７及び映像音声信号処理回路１２０を備える。
【００７３】
映像音声信号処理回路１２０は、チューナ回路から送られてくる受信信号から、その受信信号に含まれる第１信号と第２信号とを検波する受信回路であり、従来と同様の一般的な構成要素（ＩＦアンプ３６、映像検波器２１、映像アンプ２２、ＡＧＣ回路２８、ＢＰＦ５２、リミッタ回路５３、ＦＭ検波器５４）と、本発明に特有の構成要素、つまり、チューナ回路１１から出力された映像中間周波信号が弱電界または中・強電界かを判定するための電界強度検出回路３１と、ＰＬＬ回路２７ａのロック状態／アンロック状態を判定するロック検出回路３３と、アンロック状態で映像信号４４をミュートするためのミュート回路３２と、ＯＳＣ１４、ＶＣＯ２６及びロック検出回路３３からの信号に加えて電界強度検出回路３１からの信号を入力としてＡＦＴ出力電圧４０を出力するＡＦＴ制御回路３０ａと、ロック検出回路３３からの出力信号４２だけでなく、電界強度検出回路３１からの出力信号４３にも応答して動作するＬＰＦ２５ａを有するＰＬＬ回路２７ａとを備える。
【００７４】
この受信装置は、インターキャリア方式の受信装置である点で、スプリットキャリア方式の実施の形態１と異なるが、特徴的な構成要素、つまり、電界強度検出回路３１と、ロック検出回路３３と、ミュート回路３２と、ＡＦＴ制御回路３０ａと、ＰＬＬ回路２７ａとを備える点で、実施の形態１と共通する。
【００７５】
なお、映像検波器２１は、特許請求の範囲における第１検波器の一例であり、ＢＰＦ５２は、特許請求の範囲における第２検波器の一例である。以下、従来及び実施の形態１と同一の構成要素には同一の符号を付し、異なる点を中心に説明する。
【００７６】
この受信装置における映像信号に関する処理は、実施の形態１におけるスプリットキャリア方式と同様であるため、その説明を省略する。以下、このインターキャリア方式の受信装置における音声信号処理を説明する。
【００７７】
チューナ回路１１内のミキサ回路６１から５８．７５ＭＨｚの映像中間周波信号とともに出力された５４．２５ＭＨｚの音声中間周波信号は、両周波数の帯域通過特性を有するＳＡＷフィルタ１７を通して、ＩＦ（中間周波）アンプ３６で増幅される。ＰＬＬ回路２７ａは、この増幅された映像中間周波信号にロックするように動作し、それによって、映像検波器２１は、映像中間周波信号を映像検波することができる。さらに、映像検波器２１では、増幅された音声中間周波信号と、移相器２４を介して入力されたＶＣＯ２６の信号とが掛け合わされ、４．５ＭＨｚの音声第２中間周波信号が出力される。この音声第２中間周波信号は、ＢＰＦ５２に入力される。音声第２中間周波信号の帯域通過特性を有するＢＰＦ５２では、４．５ＭＨｚの音声第２中間周波信号が通過し、その音声第２中間周波信号は、リミッタ回路５３によって増幅され、４．５ＭＨｚの発振周波数を内蔵したＦＭ検波器５４によってＦＭ検波され、音声信号出力端子５５により、音声信号として出力される。
【００７８】
次に、このように構成された本発明の受信回路の動作、および、ＰＬＬ回路２７ａのロック状態／アンロック状態の判定方法を説明する。
【００７９】
まず、ＰＬＬ回路２７ａがロック状態であるときの受信装置の動作を説明する。図５は、ロック状態における受信装置の各信号の周波数関係を示している。ＶＣＯ２６の発振周波数ｆＶＣＯは、受信した映像中間周波数ｆＶＩＦにロックしているため、映像中間周波数ｆＶＩＦと等しい周波数となっている。このため、ＶＣＯ２６の発振周波数ｆＶＣＯと音声中間周波数ｆＱＩＦの周波数差を出力する映像検波器２１は、規定の音声第２中間周波信号の周波数ｆＳＩＦ（＝ｆＶＩＦ−ｆＱＩＦ）を持つ信号を出力する。音声第２中間周波信号の帯域通過特性を有するＢＰＦ５２によって、不要な映像信号やクロマ信号の周波数成分が減衰された映像検波器２１の出力信号は、リミッタ回路５３によって増幅され、ロック検出回路３３に入力される。ロック検出回路３３は、入力信号４６の周波数ｆＤＥＴを周波数カウントすることで、この信号が規定の音声第２中間周波信号ｆＳＩＦに該当すると判断し、つまり、ロック状態と判定し、その旨を示す出力信号４２をミュート回路３２、ＬＰＦ２５ａ及びＡＦＴ制御回路３０ａに出力する。
【００８０】
一方、ＰＬＬ回路２７ａがアンロック状態であるときの説明をする。図６は、アンロック状態における受信装置の各信号の周波数関係を示している。ＶＣＯ２６の発振周波数ｆＶＣＯは、受信した映像中間周波数ｆＶＩＦにロックしていないため、映像中間周波数ｆＶＩＦとは異なる不定の周波数となっている。このため、ＶＣＯ２６の発振周波数ｆＶＣＯと音声中間周波数ｆＱＩＦの周波数差を出力する映像検波器２１は、ｆＳＩＦ（＝ｆＶＩＦ−ｆＱＩＦ）と異なる周波数を持つ信号を出力する。この映像検波器２１からの出力信号は、音声第２中間周波信号の帯域通過特性を有するＢＰＦ５２によって不要な周波数成分が除去され、リミッタ回路５３を介して、ロック検出回路３３に入力される。ロック検出回路３３は、入力信号４６の周波数（ｆＤＥＴ）を周波数カウントすることで、この信号が規定の音声第２中間周波信号に該当していないと判断し、つまり、アンロック状態と判定し、その旨を示す出力信号４２をミュート回路３２、ＬＰＦ２５ａ及びＡＦＴ制御回路３０ａに出力する。
【００８１】
なお、本実施の形態におけるロック検出回路３３、電界強度検出回路３１、ミュート回路３２、ＬＰＦ２５ａ及びＡＦＴ制御回路３０ａは、実施の形態１と同様の動作をする。
【００８２】
以上のように、本実施の形態におけるインターキャリア方式の受信装置には、特徴的な電界強度検出回路３１と、ロック検出回路３３と、ロック検出回路３３による検出結果に基づいて動作するミュート回路３２と、電界強度検出回路３１及びロック検出回路３３での検出結果に基づいて動作するＰＬＬ回路２７ａ及びＡＦＴ制御回路３０ａとが設けられ、ＰＬＬ回路２７ａのロック状態／アンロック状態が正しく判定され、正確な自動周波数調整（ＡＦＴ）システムが実現される。
【００８３】
以上、本発明に係る受信装置について、実施の形態１及び２に基づいて説明したが、本発明は、これらの実施の形態に限定されるものではない。
【００８４】
たとえば、上記実施の形態では、映像信号（第１信号）に音声信号（第２信号）が重畳された受信信号から分離された音声信号（第２信号）に基づいてＰＬＬ回路のロック状態が判定されたが、本発明における第１信号及び第２信号は、このような組み合わせに限定されるものではなく、他の例として、輝度信号（第１信号）にクロマ信号（第２信号）が重畳された受信信号から分離されたクロマ信号（第２信号）に基づいてＰＬＬ回路のロック状態を判定してもよい。受信信号から分離された後の第２信号に基づいてロック状態を検出することによって、過変調時における不具合（ロック状態であるにも関らず、アンロック状態と判定されてしまう不具合）が解消されるからである。
【産業上の利用可能性】
【００８５】
本発明は、テレビジョン信号等のための受信回路及び受信装置として、特に、ＡＦＴ制御回路を備える受信回路及び受信装置として、例えば、テレビジョン受信機やテレビジョンチューナ内蔵のビデオ再生装置などの受信装置等として、利用できる。
【図面の簡単な説明】
【００８６】
【図１】本発明の実施の形態１における受信装置の構成を示すブロック図
【図２】電界強度検出回路の詳細な回路図
【図３】ＡＦＴ制御回路の詳細な回路図
【図４】ＡＦＴ制御回路における各信号のタイミングを示す図
【図５】ロック状態における映像中間周波信号の周波数ｆＶＩＦ、音声中間周波信号の周波数ｆＱＩＦ、および電圧制御発振器の発振周波数ｆＶＣＯの相対関係を示す図
【図６】アンロック状態における映像中間周波信号の周波数ｆＶＩＦ、音声中間周波信号の周波数ｆＱＩＦ、および電圧制御発振器の発振周波数ｆＶＣＯの相対関係を示す図
【図７】ロック検出回路の詳細な回路図
【図８】ホールド回路の詳細な回路図
【図９】ロック検出回路における各信号のタイミングを示す図
【図１０】ＡＧＣ回路の特性を示す図
【図１１】ＡＦＴ制御回路の特性（映像中間周波信号強度とＡＦＴ出力電圧）を示す図
【図１２】本発明の実施の形態２における受信装置の構成を示すブロック図
【図１３】従来の受信装置の構成を示すブロック図
【図１４】チューナ回路の詳細な回路図
【図１５】ＡＦＴ制御回路の特性（映像中間周波数とＡＦＴ出力電圧）を示す図
【図１６】従来のアンロック検出回路の詳細な回路図
【図１７】従来の他のアンロック検出回路の詳細な回路図
【図１８】ロック状態とアンロック状態における映像信号波形を示す図
【符号の説明】
【００８７】
１０    アンテナ
１１    チューナ回路
１２    映像ＳＡＷフィルタ
１３    音声ＳＡＷフィルタ
１４    ＯＳＣ
１５    マイコン
１６    メモリ
１７    ＳＡＷフィルタ
１８    同期分離回路
２０    ＶＩＦアンプ
２１    映像検波器
２２    映像アンプ
２３    位相検波器
２４    移相器
２５ａ  ＬＰＦ
２６    ＶＣＯ
２７ａ  ＰＬＬ回路
２８    ＡＧＣ回路
３０ａ  ＡＦＴ制御回路
３１    電界強度検出回路
３２    ミュート回路
３３    ロック検出回路
３６    ＩＦアンプ
５０    ＱＩＦアンプ
５１    音声ミキサ回路
５２    ＢＰＦ
５３    リミッタ回路
５４    ＦＭ検波器
７０    ＳＩＦ分周器
７１    ＳＩＦカウンタ
７２    ＳＩＦ比較器
７３    ホールド回路
７５    シフトレジスタ
７６    判定器
８０    ＡＦＴ分周器
８１    ＡＦＴカウンタ
８２    ＡＦＴ比較器
８３    ＤＡ変換回路
１１０、１２０    映像音声信号処理回路
【図１】
2007180865.tif 000003
【図２】
2007180865.tif 000004
【図３】
2007180865.tif 000005
【図４】
2007180865.tif 000006
【図５】
2007180865.tif 000007
【図６】
2007180865.tif 000008
【図７】
2007180865.tif 000009
【図８】
2007180865.tif 000010
【図９】
2007180865.tif 000011
【図１０】
2007180865.tif 000012
【図１１】
2007180865.tif 000013
【図１２】
2007180865.tif 000014
【図１３】
2007180865.tif 000015
【図１４】
2007180865.tif 000016
【図１５】
2007180865.tif 000017
【図１６】
2007180865.tif 000018
【図１７】
2007180865.tif 000019
【図１８】
2007180865.tif 000020